(57)【特許請求の範囲】
【請求項１】
第一筐体と第二筐体との二つの筐体が筐体回動部を介して回動自在に連結して一体構成される折り畳み式移動体電話機において、
前記第一筐体と第二筐体との二つの筐体いずれかに折り畳み時の合わせ面から背面に貫通する開口部を設け、
この開口部内に収納可能に枢支されて前記開口部から回動して前記合わせ面及び背面の外側に各々突出するとともに、前記筐体を固定した状態でほぼ周囲全方向に回動して撮影可能なカメラユニットを設け、
前記カメラユニットは、前記開口部内に一端を回動自在に枢支して他の遊端が前記開口部の外側に回動する軸受け部と、この軸受け部の遊端側に嵌入されて回動可能または伸縮及び回動可能に支持された伸縮軸と、この伸縮軸が回動若しくは伸縮及び回動する先端に支持されて周囲全体を撮影可能なカメラ部とからなることを特徴とする折り畳み式移動体電話機。
【請求項２】
請求項１に記載の折り畳み式移動体電話機において、
前記軸受け部は、前記筐体の開口部に枢支した一端側を凹凸係合により一時停止しながら断続的に回動するように設けたことを特徴とする折り畳み式移動体電話機。
【請求項３】
請求項１に記載の折り畳み式移動体電話機において、
前記伸縮軸は、前記軸受け部の遊端に嵌入して凹凸係合により一時停止しながら断続的に前記回動若しくは伸縮及び回動するように設けたことを特徴とする折り畳み式移動体電話機。
【請求項４】
請求項２または３に記載の折り畳み式移動体電話機において、
前記凹凸係合は、前記伸縮または回動時に所定の凹部に嵌合した凸部が付勢しながら新たな凹部に移動して嵌合することで、一時停止しながら断続的に動作するように設けたことを特徴とする折り畳み式移動体電話機。
【請求項５】
請求項１に記載の折り畳み式移動体電話機において、
前記伸縮軸には、前記回動若しくは伸縮及び回動時に所定の位置で動作を規制するストッパを設けたことを特徴とする折り畳み式移動体電話機。
【請求項６】
請求項１乃至５のいずれかに記載の折り畳み式移動体電話機において、
前記カメラユニットは、前記筐体の折り畳み時にレンズを背面側に向けることで撮影が可能になるとともに、前記筐体を折り畳んで携帯する場合、前記レンズを前記開口部内の合わせ面側に向けて収納することで保護することを特徴とする折り畳み式移動体電話機。
【請求項７】
請求項１乃至６のいずれかに記載の折り畳み式移動体電話機において、
前記カメラユニットは、前記筐体を離れた位置に置いて撮影する場合、この撮影動作をハンズフリ機能やイヤホンにより遠隔操作できるように設けたことを特徴とする折り畳み式移動体電話機。
【発明の詳細な説明】
【０００１】
【発明の属する技術分野】
本発明は、折り畳み式移動体電話機に係り、より詳細には二つの筐体が筐体回動部を介して回動自在に連結して所定面にカメラユニットを内蔵した折り畳み式移動体電話機に関する。
【０００２】
【従来の技術】
近年、携帯電話機、ＰＨＳ電話機などの移動体電話機は、カメラユニット（小型カメラ）が装備されており、音声データや動画像を含む画像情報を時と場所を選ばず自由に撮影してやりとりできるように形成されている。しかし、このような移動体電話機では、筐体の表示部（ＬＣＤ等）を配置した表面にカメラユニットを固定しているため、表示部を見ながら背面側を撮影することが困難であるとともに、特に、折り畳み式の筐体ではカメラユニットのレンズを傷付けてしまうという不具合があった。
【０００３】
そこで、本出願人は、筐体に開口部を設けてカメラユニットを配置することでレンズの傷付きを防止するとともに、カメラユニットを回動可能に設けて表示部の背面側を撮影可能に設けた折り畳み式移動体電話機に関し、特願２０００−３０２７７３号により既に出願している。図１５は、このような従来の折り畳み式移動体電話機を示す斜視図である。また、図１６は、図１５に示したＤ−Ｄ線の断面を示す断面図である。また、図１７は、図１５に示した筐体５０を所定位置に置いた状態を示す図である。また、図１８は、図１５に示した筐体５０を所定位置に立て掛けて撮影する状態を示す図である。
【０００４】
図１５に示すように、従来の折り畳み式移動体電話機は、筐体回動部５０ａを介して第一筐体５２と第二筐体５４とを回動自在に連結して一体構成した筐体５０を備えている。この筐体５０には、第一筐体５２及び第二筐体５４が筐体回動部５０ａを軸にして回動することで重なり合う合わせ面に、所定の情報を表示するＬＣＤまたは有機ＥＬディスプレイなどからなる表示部５６と、所定の機能を操作するキー操作部５８とを備えている。この筐体５０は、携帯時に第一筐体５２と第二筐体５４とを折り畳むことで、表示部５６の傷付き及びキー操作部５８の不必要な押下を防止している。また、筐体５０（第二筐体５４）には、合わせ面から背面に貫通する開口部５０ｂを設け、この開口部５０ｂ内に回動自在に支持したカメラユニット６０を備えている。
【０００５】
このカメラユニット６０は、図１６に示すように、筐体５０に両端を支持されて回転し、レンズ２（図１５参照）の方向を合わせ面側及び背面側に回動できるように形成している。また、カメラユニット６０は、筐体５０の開口部５０ｂ内に図１６に示した間隔Ｅを設けて合わせ面に対して低い位置に配置している。従って、従来の折り畳み式移動体電話機は、カメラユニット６０を回転させてレンズ２方向を筐体５０の背面に向けることで表示部５６を見ながら背面側を撮影できるとともに、合わせ面から図１６に示した間隔Ｅの位置に配置することでレンズ２が傷付くことを防止していた。
【０００６】
しかしながら、従来の折り畳み式移動体電話機では、表示部５６を見ながら背面側を撮影する場合、カメラユニット６０を背面側に回転させることで表示部５６での画像が上下反転するため、これを修正する修正回路が必要になる。
また、従来の折り畳み式移動体電話機では、図１７に示すように、筐体５０を所定の位置に置いて撮影する場合、カメラユニット６０を筐体５０内に配置しているため、図１７に示した矢印Ｆ方向を撮影することができなかった。このような場合、使用者は、筐体５０を片手で持って自分自身を撮影、または、図１８に示すように筐体５０を立て掛けて撮影するため、被写体の方向に筐体５０の角度を合わせてカメラユニット６０の撮影方向を調整することが困難であった。
【０００７】
【発明が解決しようとする課題】
このように、従来の折り畳み式移動体電話機では、表示部５６を見ながら背面側を撮影する際、カメラユニット６０を背面側に回転することで表示部５６での画面が上下反転するため、これを防止する修正回路が必要となり、部品点数が増加して装置全体のコストが高くなるという不具合があった。
また、従来の折り畳み式移動体電話機では、カメラユニット６０を筐体５０内に軸支しているため、図１８に示したように被写体の方向に筐体５０の角度を合わせてカメラユニット６０のレンズ２（図１５参照）方向を調整することが困難であり、撮影に時間がかかるという不具合があった。
本発明はこのような課題を解決し、簡単な構造でカメラユニットを画像の反転なく回動でき容易にレンズ方向を被写体に調節できる低コストの折り畳み式移動体電話機を提供することを目的とする。
【０００８】
【課題を解決するための手段】
本発明は上述の課題を解決するために、第一筐体と第二筐体との二つの筐体が筐体回動部を介して回動自在に連結して一体構成される折り畳み式移動体電話機であって、第一筐体と第二筐体との二つの筐体いずれかに折り畳み時の合わせ面から背面に貫通する開口部を設け、この開口部内に収納可能に枢支されて開口部から回動して合わせ面及び背面の外側に各々突出するとともに、筐体を固定した状態でほぼ周囲全方向に回動して撮影可能なカメラユニットを設け、このカメラユニットは、開口部内に一端を回動自在に枢支して他の遊端が開口部の外側に回動する軸受け部と、この軸受け部の遊端側に嵌入されて回動可能または伸縮及び回動可能に支持された伸縮軸と、この伸縮軸が回動若しくは伸縮及び回動する先端に支持されて周囲全体を撮影可能なカメラ部とからなる。
【０００９】
ここで、軸受け部は、筐体の開口部に枢支した一端側を凹凸係合により一時停止しながら断続的に回動するように設けることが好ましい。また、伸縮軸は、軸受け部の遊端に嵌入して凹凸係合により一時停止しながら断続的に回動若しくは伸縮及び回動するように設けることが好ましい。また、凹凸係合は、伸縮または回動時に所定の凹部に嵌合した凸部が付勢しながら新たな凹部に移動して嵌合することで、一時停止しながら断続的に動作するように設けることが好ましい。また、伸縮軸には、回動若しくは伸縮及び回動時に所定の位置で動作を規制するストッパを設けることが好ましい。また、カメラユニットは、筐体の折り畳み時にレンズを背面側に向けることで撮影が可能になるとともに、筐体を折り畳んで携帯する場合、レンズを開口部内の合わせ面側に向けて収納することで保護することが好ましい。また、カメラユニットは、筐体を離れた位置に置いて撮影する場合、この撮影動作をハンズフリ機能やイヤホンにより遠隔操作できるように設けることが好ましい。
【００１０】
【発明の実施の形態】
次に、添付図面を参照して本発明による折り畳み式移動体電話機の実施の形態を詳細に説明する。図１は、本発明による折り畳み式移動体電話機の実施の形態を示す分解斜視図である。また、図２は、図１に示したカメラユニット２０の内部構造を示す図である。また、図３は、図２に示したＡ−Ａ線断面での動作を示す図であり、図３（ａ）は伸長した状態を、図３（ｂ）は収納途中の状態を、図３（ｃ）は収納した状態を各々示している。また、図４は、図２に示したＢ−Ｂ線断面での動作を示す図であり、図４（ａ）は回転前の状態を、図４（ｂ）は回転途中の状態を、図４（ｃ）は回転後の状態を各々示している。また、図５は、図２に示した筐体１０にカメラユニット２０を取り付けた状態を示す図である。また、図６は、図５に示したＣ−Ｃ線断面での動作を示す図であり、図６（ａ）は回転前の状態を、図６（ｂ）は回転途中の状態を、図６（ｃ）は回転後の状態を各々示している。また、図７は、図１に示したカメラユニット２０を合わせ面側に突出させた状態を示す図である。また、図８は、図７に示した筐体１０を置いて撮影する状態を示す図である。また、図９は、図１に示したカメラユニット２０を背面側に突出させた状態を示す図である。図１０は、図９に示した筐体１０を手に持って撮影する状態を示す図である。また、図１１は、図１に示した筐体１０を折り畳んで撮影する状態を示す図である。また、図１２は、図１に示した筐体１０を折り畳んで携帯する状態を示す図である。
【００１１】
図１に示すように、本発明による折り畳み式移動体電話機の実施の形態は、図１５に示した従来技術と同様に、筐体回動部１０ａを介して第一筐体１２と第二筐体１４とを回動自在に連結して一体構成した筐体１０を備えている。この筐体１０には、第一筐体１２及び第二筐体１４が筐体回動部１０ａを軸にして回動することで重なり合う合わせ面に、所定の情報を表示するＬＣＤまたは有機ＥＬディスプレイなどからなる表示部１６と、所定の機能を操作するキー操作部１８とを備えている。この筐体１０は、携帯時に第一筐体１２と第二筐体１４とを折り畳むことで、表示部１６の傷付き及びキー操作部１８の不必要な押下を防止している。また、筐体１０（第二筐体１４）には、合わせ面から背面に貫通する開口部１０ｂを設け、この開口部１０ｂに回動自在に支持するカメラユニット２０を備えている。
【００１２】
このカメラユニット２０は、図１５に示した従来技術とは異なり、開口部１０ｂ内に一端側を枢支して他の遊端が開口部１０ｂの外側に回動して突出する軸受け部２２と、この軸受け部２２の遊端側に嵌入されて伸縮及び回動可能に支持される伸縮軸２４と、この伸縮軸２４が伸縮及び回動する先端に支持されて周囲全体を撮影可能なカメラ部２６とにより形成されている。
【００１３】
ここで、伸縮軸２４は、円筒状の軸受け部２８内に遊端側から嵌入し、下端にストッパ２８を装着することで軸受け部２２からの抜けを防止している。この伸縮軸２４は、図２に示すように、軸受け部２２の円筒状内に複数形成した凹部２２ａに弾性を備えて凹凸係合する凸部２４ａを形成することで、回転及び伸縮時に凹凸係合して一時停止しながら断続的に動作するように設けている。また、伸縮軸２４には、端部にカメラ部２６を固定してレンズ２の内部に小型カメラ１（ＣＣＤカメラ等）を内蔵している。この小型カメラ１には、コード４が配線されており伸縮軸２４内を介して他端側に延在し、筐体１０内の回路基板（図示せず）に配線されている。この際、軸受け部２２には、下端に係止突部２２ｂを一体に形成して伸縮軸２４のストッパ２８が当接するように設けることで、１８０度以上の回転を禁止して小型カメラ１の線材４が絡まることを防止している。
【００１４】
そして、カメラユニット２０は、伸縮軸２４を伸縮させる場合、例えば、図３（ａ）に示すように、伸長状態にある伸縮軸２４を軸受け部２２内に押し込むように指圧を加えることでスライドさせて所定の長さに収縮させる。この際、伸縮軸２４は、図３（ｂ）に示すように、凸部２４ａが内側に付勢しながら軸受け部２２の新たな凹部２２ａに向かって移動する。その後、伸縮軸２４は、図３（ｃ）に示すように、凸部２４ａが新たな凹部２２ａに凹凸係合することで一時停止して所定の長さに収縮される。
【００１５】
また、カメラユニット２０は、伸縮軸２４を軸にしてカメラ部２６を回転させた場合、図４（ａ）に示すように、伸縮軸２４の凸部２４ａが所定の凹部２２ａに係合している状態から凹凸係合が徐々に外れて回転（図４では左回り）し始める。これにより伸縮軸２４は、図４（ｂ）に示すように、前述した伸縮時と同様に凸部２４ａが内側に付勢しながら軸受け部２２の新たな凹部２２ａに向かって移動する。その後、伸縮軸２４は、図４（ｃ）に示すように、凸部２４ａが新たな凹部２２ａに凹凸係合することで一時停止して所定の角度に回動する。
【００１６】
また、カメラユニット２０は、図２に示した軸受け部２２の外側に突出する回転軸２１を筐体１０の回転穴１１に挿入することで、筐体１０に回動可能に軸支される。ここで、回転穴１１は、穴の内周に凸部１１ａと凹部１１ｂとが交互に出没する形状を備え、回転軸２１が回転時に一時停止して断続的に動作するように形成している。また、回転軸２１は、図２に示したように、一端の中心部に切り欠きを設けて弾性を備えるように形成し、この弾性を備える両側に各々凸部２１ａを形成している。そして、この回転軸２１は、筐体１０の回転穴１１に挿入し、図５に示すようにカメラユニット２０を回動可能に支持する。これによりカメラユニット２０は、筐体１０の開口部１０ｂ内に回動可能に支持され、筐体１０の合わせ面及び背面側に自由に回動させることができる。
【００１７】
ここで、回転軸２１は、図５に示したカメラユニット２０をレンズ２の背面側に倒すように回動させた場合、図６（ａ）に示すように、回転穴１１の凹部１１ｂに係合した凸部２１ａが徐々に外れて回動し始める。そして、回転軸２１は、図６（ｂ）に示すように、回転穴１１の凸部１１ａによって凸部２１ａが内側に付勢されながら新たな凹部１１ｂに向かって回動する。その後、回転軸２１は、図６（ｃ）に示すように、凸部２１ａが新たな凹部１１ｂに凹凸係合することで一時停止して所定の角度に回動する。これによりカメラユニット２０は、図５に示したレンズ２の背面側に所定の角度で倒れた状態に維持される。
【００１８】
このように形成された本発明による折り畳み式移動体電話機の実施の形態を用いて撮影する場合、まず、図７に示すように、筐体１０の第一筐体１２及び第二筐体１４による合わせ面側に突出するようにカメラユニット２０を回動させ、Y方向を軸にしてカメラユニット２０を回転させることで、図７に示した前後左右方向を自由に撮影することができる。また、このカメラユニット２０は、Ｘ方向を軸にして回動した場合、図７に示した上下方向を自由に撮影することができる。即ち、カメラユニット２０は、筐体１０を固定した状態でほぼ周囲全方向に回動して撮影できるように形成している。従って、本実施の形態では、図８に示すように、筐体１０を所定の位置に置いた状態で自分自身を撮影する場合、カメラユニット２０の回動のみで容易に撮影方向を被写体に調整することができるため、図１８に示した従来技術に比べて短時間で撮影を実行することができる。また、このように筐体１０を所定の位置に置いて撮影する場合、好ましくは、ハンズフリ機能やイヤホンを用いて、筐体１０から離れた位置で遠隔操作により撮影を実行できるように形成することが望ましい。
【００１９】
一方、カメラユニット２０は、図７に示した合わせ面側に突出した状態から、図９に示すように筐体１０の第一筐体１２及び第二筐体１４による背面側に回動させた場合、表示部１６を見ながら表示部１６の裏側を撮影することができる。そして、使用者は、図１０に示すように、片手で筐体１０を持った（固定した）状態で表示部１６を見ながらカメラユニット２０の角度のみを調整することで容易に撮影を実行することができる。この際、カメラユニット２０は、図７に示したＹ方向を軸にして背面側に回動するため、表示部１６での画像が上下反転することなく撮影することができる。
【００２０】
さらに、図１０に示した表示部１６での映像確認を必要としない撮影の場合、図１１に示すように、筐体１０を折り畳んでカメラユニット２０のレンズ２が外側（背面側）を向くように回転させることで、筐体１０を折り畳んだ状態から開くことなく手に持って容易に撮影することができる。
そして、図１１に示した筐体１０を折り畳んだ状態で持ち運ぶ場合には、カメラユニット２０のレンズ２を、図１２に示すように筐体１０の内側（合わせ面側）に向くように回転させ、カメラユニット２０が開口部１０ｂ内に収納することでレンズ２（図１１参照）の傷付きを防止（保護）する。
【００２１】
このように、本発明による折り畳み式移動体電話機の実施の形態によると、図９に示したように、表示部１６での画像が上下反転することなくカメラユニット２０を筐体１０の背面に回動させて撮影することができるため、筐体１０内に画像の上下反転を修正する修正回路が不要になり、部品点数の削減及び装置全体のコスト低減を実現することができる。
また、本発明による折り畳み式移動体電話機の実施の形態によると、図７に示すように、Ｘ方向及びＹ方向を軸にしてほぼ周囲全方向に回動するカメラユニット２０を筐体１０の開口部１０ｂ内に軸支しているため、使用者が筐体１０を固定した状態でカメラユニット２０の回動のみにより容易にレンズ２方向を被写体の方向に調整でき、短時間で撮影を実行することができる。
【００２２】
ところで、図１に示したように、第二筐体１４に開口部１０ｂを設けてカメラユニット２０を配置した実施の形態を説明したが、これに限定されるものではなく、例えば、第一筐体にカメラユニットを配置してもよい。図１３は、このように第一筐体にカメラユニットを設けた本発明による折り畳み式移動体電話機の他の実施の形態を示す図である。また、図１４は、図１３に示した筐体３０を置いて撮影する状態を示す図である。
【００２３】
図１３に示すように、本発明による折り畳み式移動体電話機の他の実施の形態は、図１に示した折り畳み式移動体電話機と同様に、筐体回動部３０ａを介して第一筐体３２と第二筐体３４とを回動自在に連結して一体構成した筐体３０を備えている。この筐体３０には、第一筐体３２及び第二筐体３４が筐体回動部３０ａを軸にして回動することで重なり合う合わせ面に、所定の情報を表示するＬＣＤまたは有機ＥＬディスプレイなどからなる表示部３６と、所定の機能を操作するキー操作部３８とを備えている。
【００２４】
また、筐体３０には、図１に示した折り畳み式移動体電話機とは異なり、第一筐体３２の上端にはみ出さないように開口部３０ｂを開口し、この開口部３０ｂにカメラユニット４０を回動可能に配置している。この筐体３０（第一筐体３２）は、開口部３０ｂの近傍に通信相手の音声を出力するスピーカ３５を配置しており、カメラユニット４０を開口部３０ｂ内に収納することで、通信時に使用者の耳にカメラユニット４０が当接して不快感を与えることを防止している。
【００２５】
このように形成された本発明による折り畳み式移動体電話機の他の実施の形態によれば、カメラユニット４０を第一筐体３２の開口部３０ｂ内にほぼ周囲全方向に回動して撮影できるように軸支しているため、図１に示した折り畳み式移動体電話機と同様の効果を得ることができるとともに、図１４に示すように筐体３０を置いて撮影する場合にカメラユニット４０の角度を大きく調節することなく容易にレンズ２の方向を被写体に調整することができ、より短い時間で撮影することができる。
【００２６】
以上、本発明による折り畳み式移動体電話機の実施の形態を詳細に説明したが、本発明は前述した実施の形態に限定されるものではなく、その要旨を逸脱しない範囲で変更可能である。
例えば、伸縮軸に凸部を設けて軸受け部に凹部を設けたカメラユニットの実施の形態を説明したが、これに限定されるものではなく、伸縮軸に凹部を設けて軸受け部に凸部を設けても良い。
【００２７】
【発明の効果】
このように本発明による折り畳み式移動体電話機によれば、表示部で画像が上下反転することなくカメラユニットを筐体の背面に回動させて撮影することができるため、画像反転を修正する修正回路が不要になり、部品点数を削減でき装置全体のコストを低減することが可能になる。
また、本発明による折り畳み式移動体電話機の実施の形態によれば、筐体の開口部内にほぼ周囲全方向に回動して撮影できるカメラユニットを軸支しているため、使用者が筐体を固定した状態でカメラユニットの回動のみにより様々なシチュエーションでも容易にレンズ方向を被写体の方向に調整することができ、短時間で撮影を実行することができる。
【図面の簡単な説明】
【図１】本発明による折り畳み式移動体電話機の実施の形態を示す分解斜視図。
【図２】図１に示したカメラユニットの内部構造を示す図。
【図３】図２に示したＡ−Ａ線断面での動作を示す図。
【図４】図２に示したＢ−Ｂ線断面での動作を示す図。
【図５】図２に示した筐体にカメラユニットを取り付けた状態を示す図。
【図６】図５に示したＣ−Ｃ線断面での動作を示す図。
【図７】図１に示したカメラユニットを合わせ面側に突出させた状態を示す図。
【図８】図７に示した筐体を置いて撮影する状態を示す図。
【図９】図１に示したカメラユニットを背面側に突出させた状態を示す図。
【図１０】図９に示した筐体を手に持って撮影する状態を示す図。
【図１１】図１に示した筐体を折り畳んで撮影する状態を示す図。
【図１２】図１に示した筐体を折り畳んで携帯する状態を示す図。
【図１３】本発明による折り畳み式移動体電話機の他の実施の形態を示す図。
【図１４】図１３に示した筐体を置いて撮影する状態を示す図。
【図１５】従来の折り畳み式移動体電話機を示す斜視図。
【図１６】図１５に示したＤ−Ｄ線の断面を示す断面図。
【図１７】図１５に示した筐体を所定位置に置いた状態を示す図。
【図１８】図１５に示した筐体を所定位置に立て掛けて撮影する状態を示す図。
【符号の説明】
１    小型カメラ
２    レンズ
４    コード
１０    筐体
１０ａ  筐体回動部
１１    回転穴
１１ａ  凸部
１１ｂ  凹部
１０ｂ  開口部
１２    第一筐体
１４    第二筐体
１６    表示部
１８    キー操作部
２０    カメラユニット
２１    回転軸
２１ａ  凸部
２２    軸受け部
２２ａ  凹部
２２ｂ  係止部
２４    伸縮軸
２４ａ  凸部
２６    カメラ部
２８    ストッパ
【図１】
0003751200.tif 000002
【図２】
0003751200.tif 000003
【図３】
0003751200.tif 000004
【図４】
0003751200.tif 000005
【図５】
0003751200.tif 000006
【図６】
0003751200.tif 000007
【図７】
0003751200.tif 000008
【図８】
0003751200.tif 000009
【図９】
0003751200.tif 000010
【図１０】
0003751200.tif 000011
【図１１】
0003751200.tif 000012
【図１２】
0003751200.tif 000013
【図１３】
0003751200.tif 000014
【図１４】
0003751200.tif 000015
【図１５】
0003751200.tif 000016
【図１６】
0003751200.tif 000017
【図１７】
0003751200.tif 000018
【図１８】
0003751200.tif 000019